(57)【要約】【課題】組立てが簡単で、且つコストを下げ、製品の品質を高めることのできるフィルターとそのハウジングを提供する。【解決手段】本体２１１、前記本体２１１と結合された収容部２１６、及び第一接地端子２１２と、その本体２１１の周縁２１５に設置された弾性部Ａと前記第一接地端子２１２と接続された接続部Ｓを有する第二接地端子２１３を含むベース２１、及び前記本体２１１の周縁２１５と前記収容部２１６を部分的に覆い、前記第二接地端子２１３の前記弾性部Ａと接触された金属材料、またはその合金から形成される外ケース２３を含むフィルターハウジング。【選択図】      図６
2009094053.tif 000002
【特許請求の範囲】
【請求項１】
本体、
前記本体と結合された収容部、及び
第一接地端子と、その本体の周縁に設置された弾性部と前記第一接地端子と接続された接続部を有する第二接地端子を含むベース、及び
前記本体の周縁と前記収容部を部分的に覆い、前記第二接地端子の前記弾性部と接触された外ケースを含むことを特徴とするフィルターハウジング。
【請求項２】
ハウジングを含むフィルターであって、
本体、
前記本体と結合された収容部、及び
第一接地端子と、その本体の周縁に設置された弾性部と前記第一接地端子に接続された接続部を有する第二接地端子を含むベース、及び
前記本体の周縁と前記収容部を部分的に覆い、前記第二接地端子の前記弾性部と接触された外ケース、及び
前記収容部内に収容されたフィルターモジュールを含むことを特徴とするフィルター。
【請求項３】
前記第一接地端子は、リベット、溶接、または錠締めの方式によって、前記第二接地端子の前記接続部と接続されることを特徴とする請求項２に記載のフィルター。
【請求項４】
前記第二接地端子は、ほぼＬ型構造であり、前記弾性部の縦断面、または横断面は、前記本体周縁に相対した、平面の突起の孤形を有することを特徴とする請求項２に記載のフィルター。
【請求項５】
前記ベースは、電源入力端子を更に含み、且つ前記第一接地端子、第二接地端子と前記電源入力端子は、金属材料、またはその合金から形成され、且つ前記フィルターモジュールと電気接続されることを特徴とする請求項２に記載のフィルター。
【請求項６】
前記本体周縁は、クリッピング部を更に有し、前記外ケースは、第一開口を更に有し、前記第一開口は、前記クリッピング部と対応して設置されることを特徴とする請求項２に記載のフィルター。
【請求項７】
前記本体は、絶縁材料から形成され、前記絶縁材料は、プラスチックであることを特徴とする請求項２に記載のフィルター。
【請求項８】
前記フィルターモジュールは、電源出力端子を更に含み、且つ前記電源出力端子は、前記フィルター素子と電気接続されることを特徴とする請求項２に記載のフィルター。
【請求項９】
前記外ケースは、第二開口を更に有し、且つ前記第二開口は、前記電源出力端子と対応して設置されることを特徴とする請求項８に記載のフィルター。
【請求項１０】
前記フィルター素子は、Ｙ字状コンデンサ、またはＸ字状コンデンサを含むコンデンサ、またはインダクタを含むことを特徴とする請求項２に記載のフィルター。
【請求項１１】
前記Ｙ字状コンデンサは、取付脚を更に含み、前記収容部は、前記Ｙ字状コンデンサの前記取付脚を取り付けて、外ケースと接触させる第三開口を更に含み、且つ前記外ケースは、金属材料、またはその合金から形成されることを特徴とする請求項１０に記載のフィルター。
【請求項１２】
前記ハウジングは、前記外ケースと一体成型で形成される第三接地端子を更に含むことを特徴とする請求項２に記載のフィルター。
【発明の詳細な説明】
【技術分野】
【０００１】
本発明は、フィルターハウジング及びフィルターに関し、特に、新しい接地設計によって、材料を節約し、且つスペース利用を増加したフィルターハウジング及びフィルターに関するものである。
【背景技術】
【０００２】
電子情報製品の精密化に伴い、各種の電子素子とその保護構造のパッキングがより重要になっている。従来のフィルターハウジングの組立ては、実務的に以下の仕方である。
【０００３】
図１と図２において、図１は、従来のシェルタイプ（ｓｈｅｌｌ−ｔｙｐｅ）フィルターの一部の組立て分解立体図であり、図２は、図１の組合わせ図である。従来のシェルタイプフィルターの接地設計は、ほぼＵ型の金属シート１３の設計を用いて、その一端と電源ソケット１１の接地端子１１１を溶接の方式で接続し、もう一端は、平板状端子１３１を直接形成している。続いて、コンデンサ、インダクタを収容するプラスチックハウジング１２は、ソケット１１と対応して組立てられ、組立て後の金属シート１３は、プラスチックハウジング１２の底部１２１に沿って組合わさり、且つ平板状端子１３１は、プラスチックハウジング１２のソケットに相対したもう一つ側に延伸して出る。
【０００４】
図３に示すように、コンデンサ本体にリード線が二股状に突設して接続しているＹ字状コンデンサ１２３がプラスチックハウジング１２内に配置された時、リード線先端のフックＨは、金属シート１３の平板状端子の接続部１３２を同時に引っ掛け、電気接続を発生させる。最後に、図４に示すように、上述のコンデンサ、インダクタが収容されたプラスチックハウジング１２とソケット１１を金属外ケース１４内に嵌め込み、嵌めた後、上述の平板状端子１３１は、金属外ケース１４の開孔１４１より貫通される。貫通された平板状端子１３１は、図５に示されるように、はんだを用いて、金属外ケース１４と溶接され、接地機能を有するシェルタイプフィルター１を形成する。
【０００５】
しかし、図１に示されるように、上述のやり方では、製品全体の組立てを平面にさせるために、金属シート１３がプラスチックハウジング１２の底部１２１の外側を通過した時、金属シート１３を収容する金属シートの厚さに対応した凹陥部１２２を設計しなければならない。しかし、プラスチックハウジング１２が凹陥部１２２を形成する時、プラスチックハウジング１２の底部１２１を内縮しなければならないため、フィルター素子の収容とプラスチックハウジング１２内のスペースの応用に影響を及ぼす。また、原料の価格が持続的に上昇することから、仮に、新たな設計上によって、金属材料とはんだの使用を減少し、溶接のステップを省くと同時に元々予期している接地効果を維持することができれば、製品設計上の一大突破と言う事ができる。
【０００６】
上述より、如何にして、フィルター素子を収容するより好ましいスペースを有し、組立てが簡単で、且つ生産コストを下げることのできるフィルターとそのハウジングを提供するかが重要な課題の一つとなる。
【発明の開示】
【発明が解決しようとする課題】
【０００７】
上述の課題に鑑みて、本創作の目的は、組立てが簡単で、且つコストを下げ、製品の品質を高めることのできるフィルターとそのハウジングを提供する。
【課題を解決するための手段】
【０００８】
よって、上述の目的を達するために、本発明に基づくフィルターとそのハウジングは、主に、ベースと収容部を含み、前記ベースは、本体、電源入力端子、第一接地端子と、弾性部と接続部を有する第二接地端子を有し、接続部は第一接地端子と接続され、前記弾性部は、前記ベースの本体の周縁に設置され、外ケースは、本体の周縁の領域と収容部を部分的に覆い、第二接地端子の弾性部と接触される。
【０００９】
また、本発明のフィルターは、ベースとフィルターモジュールと外ケースを含み、ベースは、本体、電源入力端子、第一接地端子と、弾性部と接続部を有する第二接地端子を有し、接続部は第一接地端子と接続され、弾性部は、前記ベースの本体の周縁に設置される。フィルターモジュールは、フィルター素子を収容するのに用いられる収容部を含む。外ケースは、本体の周縁の領域とフィルターモジュールを部分的に覆い、覆われた外ケースは第二接地端子の弾性部と接触される。
【発明の効果】
【００１０】
上述の設計によれば、第二接地端子の金属材料の容量が従来の金属シートの容量と比べて、大きく減少される。主には、弾性部の設計によって、材料が金属の外ケースと直接接触するためである。システムと接触する端子では、外ケースそのものの材料がパンチングされて形成された第三接地端子を直接用いることから、この設計は、金属材料の使用を大量に減少するだけでなく、第三端子が外ケースより直接パンチングされて形成されることも材料の使用率を増加し、フィルターモジュールの収容部のスペース利用に影響を与えない。
【発明を実施するための最良の形態】
【００１１】
本発明についての目的、特徴、長所が一層明確に理解されるよう、以下に実施形態を例示し、図面を参照にしながら、詳細に説明する。
【実施例】
【００１２】
図６に示すように、本発明の好ましい実施例のフィルターとそのハウジング２は、主に、ベース２１、フィルターモジュール２２と、外ケース２３を含み、ベース２１は、プラスチック材料から形成された本体２１１、電源入力端子２１４、第一接地端子２１２と、弾性部Ａと接続部Ｓを有する第二接地端子２１３を含む。接続部Ｓは、第一接地端子２１２と接続される。弾性部Ａは、ベース２１の本体の周縁２１５に設置され、外ケース２３が被覆された時、弾性部Ａは、外ケース２３と接触することができる。また、ベース２１は、絶縁プラスチック材料から形成された収容部２１６とその蓋体２１７を更に含み、収容部２１６は、フィルターモジュール２２を収容するのに用いられる。蓋体２１７は、フィルターモジュール２２が収容部２１６に置いた後に、収容部２１６上を閉じる。外ケース２３は、本体２１１の周縁２１５の部分領域と蓋体２１７の収容部２１６を覆う。その覆う方式は、ベース２１と外ケース２３を組合わせたとき、外ケース２３は、第二接地端子２１３の弾性部Ａと、フィルターモジュール２２のＹ字状コンデンサ２２３の取付脚Ｔと接触される。Ｙ字状コンデンサ２２３は、コンデンサ本体にリード線が二股状に突設してＹ字状となっており、このリード線の一方に取付脚Ｔが横向に延長するように設けられている。尚、図７中の符号２１３０は、接続部Ｓに形成した貫通孔であり、第一接地端子２１２が係合状態で貫通するようになっている。
【００１３】
図７に示すように、第一接地端子２１２は、リベット、溶接、または錠締めの方式によって、第二接地端子２１３の接続部Ｓと接続される。本実施例の第二接地端子２１３の接続部Ｓは、孔を有し、第一接地端子２１２は、孔を貫通した後、工具（図示せず）を用いて、第一接地端子２１２の末端を衝撃力にて押し潰すようにして固定接続することができる。第一接地端子２１２の末端は、位置制限機能を有するように突起状に形成し、第二接地端子２１３を係合することができる。
【００１４】
図８、図９、図１０と、図１１において、図９は、図８を組合わせた後の逆上下の立体図であり、図１０は、図９の側面図であり、図１１は、図１０の局部位置Ｐの拡大図である。ベース２１とフィルターモジュール２２が組立てを完成した後、外ケース２３が被覆される時、全体の設計は、Ｌ型の第二接地端子２１３の弾性部Ａが本体の周縁２１５上に同時に隣接される。第二接地端子２１３の弾性部Ａの縦断面、または横断面は、本体周縁２１５に相対している。平面の設計が突起の孤形、またはアーチ形（図１１に示されるように、本実施例の設計は孤形構造を有する縦断面である）であり、弾性の許容範囲に形成され、外ケース２３を弾性Ａと確実に接触させる。本発明のフィルターに電性導通の機能を持たせるために、上述の第一接地端子２１２、第二接地端子２１３は、金属材料、またはその合金から形成される。
【００１５】
図６、図８、図９、図１２と、図１３において、図１２は、図９の下面図であり、図１３は、図１２の局部位置Ｑの拡大図である。本発明のフィルターとそのハウジング２は、短絡を防止するために、収容部２１６と蓋体２１７は、プラスチック材料から形成される。収容部２１６の両側は、第三開口２１６ａを更に含み、Ｙ字状コンデンサ２２３の取付脚Ｔの取付けを提供するのに用いられる。また、収容部２１６の片側は、金属、またはその合金から形成された電源出力端子２１８を更に有する。電源出力端子２１８は、フィルターモジュール２２と電気接続される。フィルターモジュール２２は、Ｘコンデンサ、Ｙ字状コンデンサ２２３と、インダクタ２２２を含む。Ｙ字状コンデンサ２２３は、取付脚Ｔを更に含み、取付脚Ｔがフィルターモジュール２２の収容部２１６に収容された時、前記第三開口２１６ａを取り付ける。
【００１６】
図９に示されるように、上述のパーツの組立てプロセスでは、金属材料の外ケース２３、フィルターモジュール２２と、ベース２１を組立てる時、ベース２１上の本体周縁の係合用突起たるクリッピングＣと外ケース２３上に対応する第一開口２３１によって、互いに係合させ、組立てと同時に、電源出力端子２１８も外ケース２３上に対応して設置された二つの第二開口２３２に貫通される。外部システム（図に図示しない）と接続された第三接地端子２３３は、本発明では、直接パンチングによって、一体成型される。
【００１７】
以上のように、前記実施例では請求項１に対応して、フィルターハウジングは、
本体２１１、
前記本体２１１と結合された収容部２１６、及び
第一接地端子２１２と、その本体２１１の周縁２１５に設置された弾性部Ａと前記第一接地端子２１２と接続された接続部Ｓを有する第二接地端子２１３を含むベース２１、及び
前記本体２１１の周縁２１５と前記収容部２１６を部分的に覆い、前記第二接地端子２１３の前記弾性部Ｓと接触された外ケース１４を含むフィルターハウジングである。
【００１８】
また、前記実施例では請求項２に対応して、フィルターは、
本体２１１、
前記本体２１１と結合された収容部２１６、及び
第一接地端子２１２と、その本体２１１の周縁２１５に設置された弾性部Ａと第一接地端子２１２に接続された接続部Ｓを有する第二接地端子２１３を含むベース２１、及び
前記本体２１１の周縁２１５と前記収容部２１６を部分的に覆い、前記第二接地端子２１３の前記弾性部Ａと接触された外ケース２３、及び
前記収容部２１６内に収容されたフィルターモジュール２２を含むものである。
【００１９】
さらに、前記実施例では請求項３に対応して、前記第一接地端子２１２は、先端を押し潰して膨出させて接続固定した錠締めの方式によって、前記第二接地端子２１３の前記接続部Ｓと接続されるものである。そして、錠締めに代えてリベット、または溶接であってもよい。
【００２０】
また、前記実施例では請求項４に対応して、第二接地端子２１３は、ほぼＬ型構造であり、前記弾性部Ａの縦断面、または横断面は、前記本体周縁２１５に相対した、平面の突起の孤形を有するものである。
【００２１】
さらに、前記実施例では請求項５に対応して、前記ベース２１は、電源入力端子２１４を更に含み、且つ前記第一接地端子２１２、第二接地端子２１３と前記電源入力端子２１４は、金属材料、またはその合金から形成され、且つ前記フィルターモジュール２２と電気接続されるものである。
【００２２】
また、前記実施例では請求項６に対応して、本体周縁２１５は、突出する係合部たるクリッピング部Ｃを更に有し、前記外ケース２３は、第一開口２３１を更に有し、前記第一開口２３１は、前記クリッピング部Ｃが挿入して係合するように該クリッピング部Ｃと対応して設置されるようになっている。
【００２３】
さらに、前記実施例では請求項７に対応して、本体２１１は、絶縁材料から形成され、前記絶縁材料は、プラスチックであるものである。
【００２４】
また、前記実施例では請求項８に対応して、フィルターモジュール２２は、電源出力端子２１８を更に含み、且つ前記電源出力端子２１８は、前記フィルター素子であるＹ字状コンデンサ１２３と電気接続されるものである。
【００２５】
さらに、前記実施例では請求項９に対応して、前記金属外ケース１１は、第二開口２３２を更に有し、且つ前記第二開口２３２は、前記電源出力端子２１４と対応して設置されるものである。
【００２６】
また、前記実施例では請求項１０に対応して、前記フィルター素子としては、Ｙ字状コンデンサ２２３の他にリード線がコンデンサ本体より四方に放射状に突出するＸ形状コンデンサを含むコンデンサ、またはインダクタでもよい。
【００２７】
さらに、前記実施例では請求項１１に対応して、前記Ｙ字状コンデンサ２２３は、取付脚Ｔを更に含み、前記収容部２１６は、前記Ｙ字状コンデンサ２２３の前記取付脚Ｔを取り付けて、外ケース２３と接触させる第三開口２１６ａを更に含み、且つ前記外ケース２３は、金属材料、またはその合金から形成された導電性のものであり、実施例では第三開口２１６ａは収容部２１６にスリット状に形成されたものでありＹ字状コンデンサ２２３の取付脚Ｔが第三開口２１６ａを介して内外を貫通するようになっている。
【００２８】
しかも、前記実施例では請求項１２に対応して、前記ハウジングは、前記外ケース２３と一体成型で形成される第三接地端子２３３を更に含むものである。
【００２９】
上述の設計によれば、第二接地端子２１３の金属材料の容量は、従来の金属シート１３の容量と比べて、大きく減少される。弾性部Ａと収容部２１６の第三開口２１６ａの設計によって、第二接地端子２１３とＹ字状コンデンサ２２３が金属材料の外ケース２３と直接接触され、接地効果を達成する。システムと接触する端子では、外ケース２３そのものの材料がパンチングやプレス形成されて形成された第三接地端子２３３を直接用いることから、本発明は、金属材料の使用を大量に減少するだけでなく、第三端子２３３が外ケース２３により直接パンチングやプレスされて形成されることも、材料の使用率を増加し、収容部２１６の構造に影響を与えない。よって、フィルターモジュールの収容スペースが更に充足し、弾性を有する。
【００３０】
以上、本発明の好適な実施例を例示したが、これは本発明を限定するものではなく、本発明の要旨及び範囲を逸脱しない限りにおいては、当業者であれば行い得る少々の変更や修飾を付加することは可能である。
【図面の簡単な説明】
【００３１】
【図１】従来のシェルタイプフィルター部品の一部の分解斜視図である。
【図２】図１の組合わせ図の分解斜視図である。
【図３】図２のもう一つの分解斜視図である。
【図４】従来のシェルタイプフィルターの分解斜視図である
【図５】図４の組合わせ完成斜視図である。
【図６】本発明の好ましい実施例のフィルターとそのハウジングの分解斜視図である。
【図７】図６のベース側の分解斜視図である。
【図８】図６のフィルターとそのハウジングの分解斜視図である。
【図９】図８の組合わせた後の逆上下の斜視図である。
【図１０】図９の一部を断面とした側面図である。
【図１１】図１０の局部位置Ｐの拡大断面図である。
【図１２】図９の一部を断面とした底面図である。
【図１３】図１２の局部位置Ｑの拡大断面図である。
【符号の説明】
【００３２】
１  シェルタイプフィルター
１１  ソケット
１１１  接地端子
１２  プラスチックハウジング
１２１  底部
１２２  凹陥部
１２３  コンデンサ
１３  金属シート
１３１  平板状端子
１３２  接続部
１４  金属外ケース
１４１  孔
２  フィルター
２１  ベース
２１１  本体
２１２  第一接地端子
２１３  第二接地端子
２１４  電源入力端子
２１５  本体周縁
２１６  収容部
２１６ａ  第三開口
２１７  蓋体
２１８  電源出力端子
２２  フィルターモジュール
２２２  インダクタ
２２３  Ｙ字状コンデンサ
２３  外ケース
２３１  第一開口
２３２  第二開口
２３３  第三接地端子
Ｔ  取付脚
Ｃ  クリッピング
Ａ  弾性部
Ｓ  接続部
Ｈ  フック
Ｐ  図１０の局部位置
Ｑ  図１２の局部位置
【図１】
2009094053.tif 000003
【図２】
2009094053.tif 000004
【図３】
2009094053.tif 000005
【図４】
2009094053.tif 000006
【図５】
2009094053.tif 000007
【図６】
2009094053.tif 000008
【図７】
2009094053.tif 000009
【図８】
2009094053.tif 000010
【図９】
2009094053.tif 000011
【図１０】
2009094053.tif 000012
【図１１】
2009094053.tif 000013
【図１２】
2009094053.tif 000014
【図１３】
2009094053.tif 000015